(57)【要約】【課題】ランプ交換の際に、照明器具からランプを容易に取り出すことができる照明器具を提供する。【解決手段】埋込形照明器具１は、器具本体１０と、器具本体１０の底面部に一体となるように取り付けられるソケット２０と、発光ランプ３０と、を備える。器具本体１０底面部に、器具本体１０開口部へ向けて弾性力が働く向きに、コイルバネ１０１を備えておく。ソケット２０と発光ランプ３０を組み付け掛止したとき、コイルバネ１０１は発光ランプ３０に押し付けられ復元力が働き、発光ランプ３０を外す向きに付勢力が付加される。発光ランプ３０を外すために、ソケット２０と発光ランプ３０の掛止を解除すると、常に働いていたコイルバネ１０１の付勢力により、発光ランプ３０が器具本体１０から押し出される。発光ランプ３０の上部が取り付け面より突出するので、取り出しやすく、発光ランプ３０の交換が容易となる。【選択図】図３
2010009888.tif 000002
【特許請求の範囲】
【請求項１】
ランプ取り外し可能な照明器具であって、
開口部を有する器具本体と、
前記器具本体の底面部に、前記器具本体と一体となるように取り付けられるソケットと、
前記ソケットに嵌合する口金を有する前記ランプと、
前記ランプを前記ソケットから外れる方向に付勢する付勢手段と、
を備えることを特徴とする照明器具。
【請求項２】
前記付勢手段を、前記器具本体に備えることを特徴とする請求項１に記載の照明器具。
【請求項３】
前記付勢手段を、前記ソケットに備えることを特徴とする請求項１に記載の照明器具。
【請求項４】
前記付勢手段を、前記ランプに備えることを特徴とする請求項１に記載の照明器具。
【請求項５】
前記付勢手段を、前記ランプと前記ソケットとの間に備えることを特徴とする請求項１に記載の照明器具。
【請求項６】
前記付勢手段は、金属製または樹脂製からなる弾性部材であることを特徴とする請求項１ないし５のいずれか１項に記載の照明器具。
【請求項７】
前記付勢手段は、前記付勢手段を備える部品の一部を切り欠いて曲げ、切り起こした形状からなることを特徴とする請求項１ないし６のいずれか１項に記載の照明器具。
【請求項８】
前記口金は、ＧＸ５３口金であることを特徴とする請求項１ないし７のいずれか１項に記載の照明器具。
【発明の詳細な説明】
【技術分野】
【０００１】
本発明は、ランプ取り外し可能な照明器具に関する。
【背景技術】
【０００２】
２００７年より国内においてＧＸ５３口金の蛍光ランプが技術基準改正により認められることになった。ＧＸ５３口金の蛍光ランプは、インバータ内蔵電球を使用するので照明器具側にインバータが不要で、また、発光管を平面的に配置しており、薄型かつコンパクトなデザインとでき、ダウンライトや薄型のペンダントなどの照明として普及が進んでいる。
【０００３】
照明器具として使用されている蛍光灯器具は、蛍光灯の交換の際に、できるだけ容易に作業ができるように、いろいろな工夫がなされている。特許文献１では、ガイドを備えてランプを嵌めやすくした一端のソケットはバネを使用して可動性としておき、先にランプを嵌めておく。他端のソケット付近に保持バネを備え、一端のソケットと保持バネでランプを保持させ、ソケットのバネを縮めながら他端のソケットにランプを嵌合することで、一人でも容易にランプの着脱の操作ができることが記載されている。また、特許文献２では、ソケットの、蛍光灯に電力を供給する接触端子を兼ねたランプピン挿入孔が、ばねにより蛍光灯のランプピンの軸方向に両端より弾性支持され、蛍光灯を容易にソケットに取り付けることができるようにしたことが記載されている。
【特許文献１】特開２０００−４８６２５号公報
【特許文献２】特開２０００−６８０１５号公報
【発明の開示】
【発明が解決しようとする課題】
【０００４】
蛍光灯などの照明器具のランプ交換において、直管形蛍光灯は長さがあるために扱いにくかったり、ランプピン端子と挿入孔を合わせる作業がしづらい。また、天井などの高い位置に照明器具があり、足場が悪い中での作業を要することが多い。そのため、特許文献１や２で示すような蛍光灯の取り付けに関する発明がなされ、容易に所定の位置にランプを設置でき、かつ、ランプと照明器具本体がきちんと電気的接続されることを重点に改良が行われてきた。
【０００５】
ＧＸ５３口金の蛍光ランプは、新しいタイプの蛍光ランプで、薄型かつコンパクトなデザインである。例えばダウンライトなどで使用する場合、照明器具本体は、天井内部に埋め込まれており、ランプを装着したときに、天井面とフラットになるように設計される。この蛍光ランプの取り付けの際は、ランプを回動させ、ソケットの凸部とランプ口金のＬ字型の凹部を嵌合させて係止する。ランプは、ランプ周縁部と器具本体の内壁とが、ほぼ隙間なく嵌め込まれた状態で取り付けられ、かつ、ランプの上面と天井面とがフラットな構造であり、ランプを取り付けた状態では、ランプ部分を掴むことはできない。ランプを外す際は、取り付けのときと反対の向きにランプを回動させ、ソケットの凸部とランプ口金のＬ字型の凹部の係止を解除し、ランプの自重を利用して、器具本体からランプを取り出す。
【０００６】
ランプが下向きとなる場所に取り付けたランプは、係止を解除すると、ランプの自重を利用して器具本体からランプを取り出すことができるが、ランプが床面や壁面に取り付けられた場合、ランプの自重を利用することができず、照明器具の取り付け面とランプ上面がフラットな構造のため、取り出すことが容易ではない。ランプの着脱を容易にするために、ランプを取り付けた状態でランプを掴むことができる空間を備えると、器具本体が大きくなり、薄型かつ小型のランプを用いる必要がなくなる。
【０００７】
また、ＧＸ５３口金の蛍光ランプは、デザイン性の高い照明器具として用いられることが多く、小型で重量も小さく、システムキッチンの吊り棚の下側などに採用されやすい。ランプと器具本体とに隙間があると、その隙間に料理の際の油煙が入り込み、油汚れの付着でランプ交換に支障があったり、器具の故障などの原因となる。そのため、ランプと器具本体との間隙は小さい事が望ましいが、間隙がない場合は、より、ランプを取り出しにくくなるという欠点があった。
【０００８】
本発明は、上記事情に鑑みてなされたものであり、ランプ交換の際に、照明器具からランプを容易に取り出すことができる照明器具を提供することを目的とする。
【課題を解決するための手段】
【０００９】
本発明の観点に係る照明器具は、
ランプ取り外し可能な照明器具であって、
開口部を有する器具本体と、
前記器具本体の底面部に、前記器具本体と一体となるように取り付けられるソケットと、
前記ソケットに嵌合する口金を有する前記ランプと、
前記ランプを前記ソケットから外れる方向に付勢する付勢手段と、
を備えることを特徴とする。
【発明の効果】
【００１０】
本発明によれば、ランプ交換の際に、照明器具からランプを容易に取り出すことができる。
【発明を実施するための最良の形態】
【００１１】
以下、この発明の実施の形態について図面を参照しながら詳細に説明する。なお、図中同一または相当部分には同一符号を付し、その説明は繰り返さない。図１（ａ）ないし（ｃ）は、本発明の実施の形態に係るＧＸ５３口金の蛍光ランプを用いた埋込形照明器具の部分毎の斜視図である。図１の（ａ）は器具本体、（ｂ）はＧＸ５３口金用受金（以下、ソケットという）、（ｃ）は蛍光ランプを示す。
【００１２】
埋込形照明器具１は、器具本体１０と、ソケット２０と、発光ランプ３０と、を備える。図１（ａ）の器具本体１０は、本体部１１外側の側面に、器具を取り付け面に固定するための取り付けアーム１２を備える。取り付けアーム１２は、２ないし４本を等間隔に並べる。本体部１１の内部の底面部もしくは底面部付近の側方に、発光ランプ３０と電気的接続を行うための２つの電源端子台１３を備える。電源端子台１３は、発光ランプ３０のフランジ形電極３８を挟持する、もしくは、片持ち支持するバネの端子などからなる。
【００１３】
図１（ｂ）のソケット２０は、発光ランプ３０の口金３５と嵌合する形であり、口金３５の側面部を覆う筒状部２１と、口金３５を備えた側の面を覆うつば部２２と、より構成される。図１（ｃ）の発光ランプ３０は、発光部３１と口金部３２があり、発光部３１は、発光管３３と、ランプカバー３４と、を備える。発光管３３は屈曲成形され、ランプカバー３４の中に収納されている。口金部３２は、口金部３２に内蔵した安定器３７と、Ｌ字型からなる凹部のＬ字状溝３６を欠成された口金３５と、２つのフランジ形電極３８と、樹脂カバー３９と、を備える。フランジ形電極３８は、樹脂カバー３９の口金３５を備えた側の面に点対称に形成される。
【００１４】
ソケット２０の筒状部２１の内側に、発光ランプ３０の口金３５のＬ字状溝３６と係合する凸部２３が設けられる。凸部２３とＬ字状溝３６との位置合わせをし、口金３５をソケット２０に通す。つば部２２と口金３５を備えた側の面が近づき差し込みが最も深い位置で、Ｌ字状溝３６に沿って発光ランプ３０を回動させ、凸部２３とＬ字状溝３６とを掛止する。
【００１５】
ソケット２０と発光ランプ３０の、凸部２３とＬ字状溝３６とを位置合わせしたときに、発光ランプ３０のフランジ形電極３８が、ダルマ穴２４の先太部２６から通り抜けるように、つば部２２にダルマ穴２４を形成しておく。ソケット２０と、発光ランプ３０の口金３５を備えた側の面が接する、もしくは最も接近したときに、フランジ形電極３８の頭部分がつば部２２を貫通する。発光ランプ３０を回動させるとフランジ形電極３８は先太部２６から先細部２５側にスライドし、凸部２３とＬ字状溝３６とを掛止したときに、フランジ形電極３８の頭部分はソケット２０のダルマ穴２４に掛止する。
【００１６】
ソケット２０のつば部２２には取付ねじ穴２７が複数形成されており、器具本体１０の内側の底面部にネジで取り付けられるようになっており、器具本体１０と一体となる。凸部２３とＬ字状溝３６、およびフランジ形電極３８の頭部分とダルマ穴２４が掛止したときに、ソケット２０のダルマ穴２４の先細部２５が、器具本体１０の電源端子台１３と対向するように器具本体１０にソケット２０を取り付ける。したがって器具本体１０に発光ランプ３０を取り付けたときに、電源端子台１３とフランジ形電極３８は接触し、電気的に接続する。
【００１７】
図１（ｄ）は、ソケット２０の凸部２３と、発光ランプ３０のＬ字状溝３６と、を位置合わせをしたときの、器具本体１０側から見た平面図である。発光ランプ３０の口金３５に欠成されたＬ字状溝３６の、溝底を結んだときの円の半径をｒ１とし、口金の大きさの半径をｒ２とする。ソケット２０の凸部２３の、最も凸部となる部分を結んだときの円の半径をｒ３とし、筒状部２１の大きさの半径をｒ４とする。これらの大きさは、小さい方から順に、ｒ１、ｒ３、ｒ２、ｒ４とすることで、ソケット２０の凸部２３と、ランプ３０のＬ字状溝３６を嵌合し、ねじりモーメントを加えることで、ソケット２０と発光ランプ３０を掛止することができる。
【００１８】
図２は、埋込形照明器具１の平面図であり、図１の埋込形照明器具１を組み立て、天井などに埋め込みした状態を示す。図２に示すように、器具本体１０と発光ランプ３０との間は、ほとんど間隙のない状態で、器具本体１０と発光ランプ３０とが嵌合する。
【００１９】
（実施の形態１）
図３は、本発明の実施の形態１に係るＧＸ５３口金の蛍光ランプを用いた埋込形照明器具の断面図である。基本的な構造は、図１および図２で示した埋込形照明器具１と同じであり、図２のＭ−Ｍ線断面図を示す。
【００２０】
ソケット２０の凸部２３と発光ランプ３０のＬ字状溝３６とを嵌め合わせて発光ランプ３０を回動させる。同時に、発光ランプ３０のフランジ形電極３８はダルマ穴２４を貫通し、先太部２６から先細部２５へスライドする。そのときフランジ形電極３８は器具本体１０に備えた電源端子台１３に挟持される形となり、電気的接続の状態となる。ソケット２０と発光ランプ３０を組み付けたときに、筒状部２１と口金３５とは間隙が設けられており、口金３５を備えた側の面と器具本体１０の底面部との間に空間が形成される。口金３５のＬ字状溝３６の、掛止を解除する側の空間に、コイルバネ１０１を備える。コイルバネ１０１は、器具本体１０の開口部へ向けて付勢力が働く向きであって、器具本体１０とソケット２０を組み付けたときに、ソケット２０のつば部２２のある面の高さよりもコイルバネ１０１が突き出すように取り付けておく。発光ランプ３０を組み付けたときに、コイルバネ１０１は発光ランプ３０の口金３５を備えた側の面で押し縮められることになり、常に、発光ランプ３０を外す向きに付勢力が加わる。
【００２１】
発光ランプ３０を取り付けたときと反対の向きに発光ランプ３０を回動させ、器具本体１０と発光ランプ３０の掛止を解除する。常に働いていたコイルバネ１０１の付勢力、すなわちコイルバネ１０１が発光ランプ３０の口金３５を備えた側の面を押す力により、発光ランプ３０が器具本体１０から押し上げられる。発光ランプ３０取り付け時に、取り付け面とフラットな状態であった発光ランプ３０は、器具本体１０から押し上げられ、上部が取り付け面より突出するので、取り出しやすく、発光ランプ３０の交換が容易となる。
【００２２】
実施の形態１において、発光ランプ３０を押し上げる付勢手段は、コイルバネ１０１を用いているが、板バネや弾力性のある樹脂などの弾性変形部材を用いてもよく、また、器具本体１０の底面部の一部を切り欠いて起こしたもの（以下、切り起こしという）を用いてもよい。また、付勢手段の数は２つ以上であって、等間隔に備えることで、発光ランプ３０底面に均等に力を加え、発光ランプ３０を垂直に押し上げることができ、より発光ランプ３０が突出しやすくなる。さらに、掛止を解除する側の空間に付勢手段を備えることで、器具本体１０と発光ランプ３０を掛止する際に、付勢手段からの付勢力の影響が少なく、小さいねじりモーメントで発光ランプ３０の着脱ができ、取り付け作業の妨げとなりにくい。
【００２３】
（実施の形態１の変形例）
図４は、本発明の実施の形態１の変形例に係るＧＸ５３口金の蛍光ランプを用いた埋込形照明器具の断面図である。
【００２４】
ソケット２０の凸部２３と発光ランプ３０のＬ字状溝３６とを嵌め合わせて発光ランプ３０を回動させる。同時に、発光ランプ３０のフランジ形電極３８はダルマ穴２４を貫通し、先太部２６から先細部２５へスライドする。そのときフランジ形電極３８は器具本体１０に備えた電源端子台１３に横から押し付けられる形となり、電気的接続の状態となる。
【００２５】
コイルバネ１０１は、器具本体１０とソケット２０を組み付けたときに、フランジ形電極３８と対向する器具本体１０の底面部に、開口部へ向けて付勢力が働く向きで取り付けておく。ソケット２０に発光ランプ３０を取り付けたときに、コイルバネ１０１は発光ランプ３０のフランジ形電極３８で押し縮められることになり、常に、発光ランプ３０を外す向きに付勢力が加わる。発光ランプ３０を取り外すときは、ソケット２０と発光ランプ３０の掛止を解除すると、常に働いていたコイルバネ１０１の付勢力により、発光ランプ３０が器具本体１０から押し上げられる。発光ランプ３０の上部が取り付け面より突出するので、取り出しやすく、発光ランプ３０の交換が容易となる。
【００２６】
（実施の形態２）
図５（ａ）は、本発明の実施の形態２に係るＧＸ５３口金の蛍光ランプの斜視図である。図５（ｂ）は、図５（ａ）の蛍光ランプと同時に使用するソケットを蛍光ランプ側から見た平面図である。本発明の実施の形態２に係る埋込形照明器具の基本的な構造は、図１および図２で示した埋込形照明器具１と同じである。
【００２７】
発光ランプ３０の樹脂カバー３９のフランジ形電極３８を備えた側の面であって、口金３５のＬ字状溝３６の掛止を解除する側に、弾性のあるスポンジゴム３０２を備える。スポンジゴム３０２は、発光ランプ３０を器具本体１０に組み付けたときに、ソケット２０の接触位置２９に押し付けられて縮み、復元力が働き、発光ランプ３０を外す向きに力が付加される。
【００２８】
ソケット２０と発光ランプ３０の掛止を解除すると、常に働いていたスポンジゴム３０２の復元力により、発光ランプ３０のフランジ形電極３８を備えた側の面とソケット２０が離れ合うような向きに力が加わる。発光ランプ３０はソケット２０から外れる向きに付勢力を受け、発光ランプ３０が器具本体１０から押し上げられる。発光ランプ３０取り付け時に、取り付け面とフラットな状態であった発光ランプ３０は、器具本体１０から押し上げられ上部が突出するので、取り出しやすく、発光ランプ３０の交換が容易となる。
【００２９】
実施の形態２において、発光ランプ３０を押し上げる付勢手段は、スポンジゴム３０２を用いているが、コイルバネや板バネなどの弾性変形部材を用いてもよく、また、フランジ形電極３８を備えた側の面の一部、すなわち樹脂カバー３９の一部を切り欠いて起こしたものを用いてもよい。また、付勢手段の数は２つ以上であって、等間隔に備えることで、発光ランプ３０底面に均等に力を加え、発光ランプ３０を器具本体１０から垂直に押し上げることができ、より発光ランプ３０が突出しやすくなる。さらに、掛止を解除する側に付勢手段を備えることで、器具本体１０と発光ランプ３０を掛止する際に、付勢手段からの付勢力の影響が少なく、小さいねじりモーメントで発光ランプ３０の着脱ができ、取り付け作業の妨げとなりにくい。
【００３０】
（実施の形態２の変形例）
図６（ａ）は、本発明の実施の形態２の変形例に係るＧＸ５３口金の蛍光ランプの斜視図である。図６（ｂ）は、図６（ａ）の蛍光ランプと同時に使用するソケットを蛍光ランプ側から見た平面図である。図６（ｃ）および（ｄ）は、図６（ａ）の付勢手段の一例である。
【００３１】
基本的な構造は、本発明の実施の形態２に係る発光ランプ３０と同じであり、図６（ａ）では、スポンジゴム３０２の替わりに板バネ３０３を用いる。発光ランプ３０のＬ字状溝３６と、ソケット２０の凸部２３の位置を合わせたとき、発光ランプ３０に取り付けられた板バネ３０３とソケット２０のつば部２２の接触面２９とが接触する。発光ランプ３０を押し込むと、板バネ３０３に付勢力が付加される。付勢力が付加された状態のまま、発光ランプ３０を回動させ、ソケット２０と発光ランプ３０を掛止する。板バネ３０３はテーパ状で、ソケット２０と発光ランプ３０とが掛止する向きに板バネ３０３の開口端を備えておく。板バネ３０３は発光ランプ３０の回動と同時に移動し、接触面２９と対向する位置からソケット２０のつば部２２のくり抜いた部分である抜き穴２８の位置に移動する。板バネ３０３は、抜き穴２８から貫入し、接触面２９と押し付け合うことがなく、付勢力を失う。
【００３２】
発光ランプ３０を外す際は、取付け時と反対方向に発光ランプ３０を回動させ、発光ランプ３０のＬ字状溝３６とソケット２０の凸部２３との掛止を解除させる。このとき、抜き穴２８から貫入していた板バネ３０３は、接触面２９に向かって移動する。板バネ３０３は抜き穴を抜けるときに、ヒンジ部分からテーパ状に開口端へ向けて、徐々にソケット２０の接触面２９に押さえつけられる。接触面２９に押さえられた板バネ３０３は、バネの復元力により、発光ランプ３０のフランジ形電極３８を備えた側の面とソケット２０が離れ合うような向きに力が加わる。発光ランプ３０はソケット２０から外れる向きに付勢力を受け、発光ランプ３０が器具本体１０から押し上げられる。そのため、発光ランプ３０取り付け時に、取り付け面とフラットな状態であった発光ランプ３０は、ソケット２０から押し上げられ上部が突出するので、取り出しやすく、発光ランプ３０の交換が容易となる。
【００３３】
実施の形態２の変形例では、発光ランプ３０を器具本体１０に取り付けている間は、板バネ３０３がソケット２０に押し付けられる事がなく、発光ランプ３０を外す付勢力が付加されていない。そのため、常に板バネ３０３に付勢力を付加し続けずに済み、板バネ３０３の劣化を防止し、発光ランプ３０を取り出すときの付勢力を維持する事ができる。また、掛止が解除された状態で最も付勢力がかかるようになっており、不意に発光ランプ３０にぶつかるなどして、器具本体１０と発光ランプ３０の掛止を解除する向きに回動したときでも、掛止が解除される位置まで回動していない場合は、板バネ３０３の付勢力は働きにくく、発光ランプ３０がソケット２０から外れにくく、器具本体１０から発光ランプ３０が抜けにくい。
【００３４】
発光ランプ３０に備える付勢手段は、ソケット２０と発光ランプ３０との掛止を解除する向きは高さが小さく、斜面もしくは曲面を有し、掛止する向きに最も付勢力を付加できる構造であればよい。例えば、切り起こし３０４やクリップ３０６などがある。切り起こし３０４は、フランジ形電極３８を備えた側の面の一部、すなわち樹脂カバー３９の一部を切り欠いて起こしたものである。どちらの場合も、板バネ３０３のときと同様に、ソケット２０と発光ランプ３０とが掛止する向きに開口端を向けておく。さらにクリップ３０６の場合は、ソケット２０と発光ランプ３０との掛止を解除する向きのヒンジ部は、できるだけ樹脂カバー３９の口金３５を備えた側と段差が小さくなるようにし、抜き穴２８から接触面２９へ移動の際に、クリップ３０６の引っ掛かりを押さえることが望ましい。
【００３５】
（実施の形態３）
図７は、本発明の実施の形態３に係るＧＸ５３口金用受金（ソケット）を蛍光ランプ側から見た平面図である。図７（ａ）は、付勢手段にコイルバネを用いた場合である。本発明の実施の形態３に係る埋込形照明器具の基本的な構造は、図１および図２で示した埋込形照明器具１と同じである。
【００３６】
ソケット２０のつば部２２の発光ランプ３０に対向する側の面に、コイルバネ２０１を備える。コイルバネ２０１は、ソケット２０と発光ランプ３０を組み付けたときに、口金３５のＬ字状溝３６の掛止を解除する側付近のつば部２２上に、器具本体１０の開口部へ向かって伸縮する向きに取り付けられる。発光ランプ３０を器具本体１０に取り付け掛止すると、ソケット２０上のコイルバネ２０１は発光ランプ３０に押しつけられ縮む。コイルバネ２０１に復元力が働き、発光ランプ３０を外す向きの付勢力となる。
【００３７】
ソケット２０と発光ランプ３０の掛止を解除すると、常に働いていたコイルバネ２０１の付勢力より、発光ランプ３０はソケット２０から外れる向きの力を受け、ソケット２０から押し上げられる。発光ランプ３０を器具本体１０に取り付けた状態では、取り付け面とフラットな状態であったが、ソケット２０から押し上げられ、発光ランプ３０の上部が突出するので、取り出しやすく、発光ランプ３０の交換が容易となる。
【００３８】
図７（ｂ）は、図７（ａ）と異なる付勢手段の場合で、一例として、ソケット２０の面の一部を切り欠いて起こしたもの（切り起こし２０４）を用いている。発光ランプ３０を押し上げる付勢手段は、コイルバネ２０１、切り起こし２０４、板バネ、弾性力を有するスポンジゴムや樹脂などの弾性変形部材であればよい。また、付勢手段の数は２つ以上であって、等間隔に備えることで、発光ランプ３０底面に均等に力を加え、発光ランプ３０を器具本体１０底面部から垂直に押し上げることができ、より発光ランプ３０が突出しやすくなる。さらに、掛止を解除する側に付勢手段を備えることで、器具本体１０と発光ランプ３０を掛止する際に、付勢手段からの付勢力の影響が少なく、小さいねじりモーメントで発光ランプ３０の着脱ができ、取り付け作業の妨げとなりにくい。
【００３９】
（実施の形態４）
図８は、本発明の実施の形態４に係るＧＸ５３口金用受金（ソケット）を用いた埋込形照明器具の断面図である。図９（ａ）は、図８のＧＸ５３口金用受金（ソケット）と同時に使用する付勢手段（皿バネ）の平面図である。本発明の実施の形態４に係る埋込形照明器具の基本的な構造は、図１および図２で示した埋込形照明器具１と同じである。
【００４０】
ソケット４０は、つば部分の周縁部の、発光ランプ３０に対向する側の面に凹部４１が形成されている。凹部４１に皿バネ４２を嵌め合わせたときに、ソケット４０のつば部分より皿バネ４２が突出する高さになるように凹部４１の溝の深さ、および皿バネ４２の高さを合わせておく。
【００４１】
凹部４１に対応する形の皿バネ４２を嵌め、発光ランプ３０のＬ字状溝３６と、ソケット４０の凸部２３を合わせ、発光ランプ３０をソケット４０に差し込み回動させ、発光ランプ３０とソケット４０とを掛止する。このとき、発光ランプ３０のフランジ形電極３８を備えた側の面は、皿バネ４２をソケット４０の方に押し付けながら、発光ランプ３０とソケット４０は対向する位置に掛止される。皿バネ４２は縮められ復元力が働き、発光ランプ３０をソケット４０から外す向きに付勢力が付加される。
【００４２】
発光ランプ３０を外す際は、取付け時と反対方向に発光ランプ３０を回動させ、発光ランプ３０のＬ字状溝３６とソケット４０の凸部２３との掛止を解除させる。発光ランプ３０は、皿バネ４２により、常に発光ランプ３０を外す向きに付勢されており、ソケット４０から押し上げられ上部が取り付け面より突出し、取り出しやすく、ランプ交換が容易となる。
【００４３】
図９（ｂ）および（ｃ）は、座金の一例であり、側面図を示す。皿バネ４２は、図９（ｂ）に示すバネ座金４３や、図９（ｃ）に示す波形座金４４でもよい。バネ座金４３は、Ｃ字型で少しねじれた形状でバネの働きをし、開いた部分の最も高さが異なるところで、付勢力が大きくなる。波形座金４４は平座金を曲げた形になっており、つぶれる事によりバネの働きをする。バネ座金４３、波形座金４４ともに、ソケット４０の凹部４１に嵌合して使用する。
【００４４】
（実施の形態４の変形例）
図１０（ａ）は、本発明の実施の形態４の変形例に係るＧＸ５３口金の蛍光ランプを用いた埋込形照明器具の断面図、図１０（ｂ）はその斜視図である。図１０のＧＸ５３口金の蛍光ランプと同時に使用する付勢手段は図９に示したもの（皿バネなど）を用いる。
【００４５】
発光ランプ５０は、口金部３２のアルミカバー５１の、フランジ形電極３８を備えた側の面の縁に、フランジ形電極３８を備える面よりも低くなる面の段差５２を備える。その段差５２に皿バネ４２を嵌め合わせたときに、フランジ形電極３８を備える面より皿バネ４２が突出する高さになるように段差５２の段の高さ、および皿バネ４２の高さを合わせておく。
【００４６】
段差５２に対応する形の皿バネ４２を嵌め、発光ランプ５０のＬ字状溝３６と、ソケット２０の凸部２３を合わせ、発光ランプ５０をソケット２０に差し込み回動させ、発光ランプ５０とソケット２０とを掛止する。このとき、段差５２は、皿バネ４２をソケット２０の方に押し付けながら、発光ランプ５０とソケット２０は対向する位置に掛止される。皿バネ４２は縮められ復元力が働き、発光ランプ５０をソケット２０から外す向きに付勢力が付加される。
【００４７】
発光ランプ５０を外す際は、取付け時と反対方向に発光ランプ５０を回動させ、発光ランプ５０のＬ字状溝３６とソケット２０の凸部２３との掛止を解除させる。発光ランプ５０は、皿バネ４２により、常に発光ランプ５０を外す向きに付勢されており、ソケット２０から押し上げられ上部が取り付け面より突出し、取り出しやすく、ランプ交換が容易となる。皿バネ４２を用いて説明しているが、バネ座金４３、波形座金４４などを用いてもかまわない。
【００４８】
以上、説明したように、本発明によれば、ランプ交換の際にランプを容易に取り出すことができるランプ取り外し容易機能を有した照明器具を提供することができる。
【００４９】
その他、前記の照明器具の形状、付勢手段の種類、付勢手段を取り付ける位置や数などは一例であり、任意に変更および修正が可能である。
【００５０】
その他、本発明の好適な変形として、以下の構成が含まれる。
【００５１】
本発明の第１の観点に係る照明器具について、好ましくは、前記付勢手段を、前記器具本体に備えるように構成する。
【００５２】
または、前記付勢手段を、前記ソケットに備えるように構成してもよい。
【００５３】
または、前記付勢手段を、前記ランプに備えるように構成してもよい。
【００５４】
または、前記付勢手段を、前記ランプと前記ソケットとの間に備えるように構成してもよい。
【００５５】
好ましくは、前記付勢手段は、金属製または樹脂製からなる弾性部材である。
【００５６】
または、前記付勢手段は、前記付勢手段を備える部品の一部を切り欠いて曲げ、切り起こした形状からなるように構成してもよい。
【００５７】
好ましくは、前記口金は、ＧＸ５３に適合する口金である。
【図面の簡単な説明】
【００５８】
【図１】本発明の実施の形態に係るＧＸ５３口金の蛍光ランプを用いた埋込形照明器具の、（ａ）は器具本体、（ｂ）はＧＸ５３口金用受金（以下、ソケットという）、（ｃ）は蛍光ランプの斜視図である。（ｄ）はソケットと蛍光ランプを組み立てた様子を、器具本体側から見た平面図である。
【図２】実施の形態に係るＧＸ５３口金の蛍光ランプを用いた埋込形照明器の平面図である。
【図３】本発明の実施の形態１に係るＧＸ５３口金の蛍光ランプを用いた埋込形照明器具の断面図であり、図２のＭ−Ｍ線断面を示す。
【図４】実施の形態１の変形例に係るＧＸ５３口金の蛍光ランプを用いた埋込形照明器具の断面図であり、図２のＭ−Ｍ線断面を示す。
【図５】（ａ）は本発明の実施の形態２に係るＧＸ５３口金の蛍光ランプの斜視図である。（ｂ）は（ａ）の蛍光ランプと同時に使用するソケットを蛍光ランプ側から見た平面図である。
【図６】（ａ）は実施の形態２の変形例に係るＧＸ５３口金の蛍光ランプの斜視図である。（ｂ）は（ａ）の蛍光ランプと同時に使用するソケットを蛍光ランプ側から見た平面図である。（ｃ）および（ｄ）は、付勢手段の一例を示す。
【図７】（ａ）は本発明の実施の形態３に係るＧＸ５３口金用受金（ソケット）の平面図であり、蛍光ランプ側から見た平面図である。（ｂ）は、（ａ）と異なる付勢手段を用いた例を示す。
【図８】本発明の実施の形態４に係るＧＸ５３口金用受金（ソケット）を用いた埋込形照明器具の断面図である。
【図９】（ａ）は実施の形態４に係るＧＸ５３口金用受金（ソケット）と同時に使用する付勢手段（皿バネ）の平面図である。（ｂ）および（ｃ）は、座金の一例である側面図を示す。
【図１０】（ａ）は実施の形態４の変形例に係るＧＸ５３口金の蛍光ランプの断面図であり、（ｂ）は斜視図である。
【符号の説明】
【００５９】
１  埋込形照明器具
１０  器具本体
２０、４０  ソケット
２３  凸部
２４  ダルマ穴
２８  抜き穴
３０、５０  発光ランプ
３３  蛍光管
３５  口金
３６  Ｌ字状溝
３８  フランジ形電極
４２  皿バネ
１０１、２０１  コイルバネ
２０４、３０４  切り起こし
【図１】
2010009888.tif 000003
【図２】
2010009888.tif 000004
【図３】
2010009888.tif 000005
【図４】
2010009888.tif 000006
【図５】
2010009888.tif 000007
【図６】
2010009888.tif 000008
【図７】
2010009888.tif 000009
【図８】
2010009888.tif 000010
【図９】
2010009888.tif 000011
【図１０】
2010009888.tif 000012